(57)【特許請求の範囲】
【請求項１】
遊技盤面上に配置され、遊技球が入賞可能な入賞口と、
前記遊技盤面における前記入賞口の上方に配置され、前記遊技盤面上を流下する遊技球を受入可能な受入口を有するセンター役物と、
前記センター役物に設けられ、前記受入口により受け入れられた遊技球を転動させるステージ部材と、
前記センター役物にあって前記入賞口の鉛直上方の部位に形成され、前記ステージ部材の遊技球を前記入賞口の上方に排出する排出口と、
を備えた遊技機において、
前記ステージ部材は、
前記センター役物の左右方向に沿って設けられる第１ステージ部と、
前記第１ステージ部の手前側に設けられ、仕切り部材により前記第１ステージ部と区画される第２ステージ部と、
前記受入口により受け入れられた遊技球を前記第１ステージ部に誘導する第１誘導部と、
前記第１ステージ部の上面の一部を開口して形成される第１導入口と、
前記第１ステージ部を転動する遊技球を前記第１導入口に入球させるか否かを振り分ける第１振分部と、
前記第１ステージ部を転動する遊技球のうち前記第１導入口に入球しなかった遊技球を、前記第２ステージ部に誘導する第２誘導部と、
前記第２ステージ部の上面の一部を開口して形成される第２導入口と、
前記第２ステージ部を転動する遊技球を前記第２導入口に入球させるか否かを振り分ける第２振分部と、
前記第１導入口に入球した遊技球および前記第２導入口に入球した遊技球を、前記排出口に導く誘導経路と、
を備え、
前記第１導入口および前記第２導入口は、前記仕切り部材の一部を切り欠いて前記第１ステージ部と前記第２ステージ部とに跨り一体的に形成されるとともに、前記第１導入口の開口面積と前記第２導入口の開口面積とが異なるように構成されることを特徴とする遊技機。
【請求項２】
前記第１導入口および前記第２導入口は、前記第１導入口の開口面積よりも前記第２導入口の開口面積が大きくなるように構成されることを特徴とする請求項１に記載の遊技機。
【請求項３】
前記ステージ部材は、
前記第２ステージ部の手前側に設けられ、仕切り部材により前記第２ステージ部と区画される第３ステージ部と、
前記第２ステージ部を転動する遊技球のうち前記第２導入口に入球しなかった遊技球を、前記第３ステージ部に誘導する第３誘導部と、
前記第３ステージ部の上面の一部を開口して形成される第３導入口と、
を備え、
前記誘導経路は、前記第１導入口に入球した遊技球および前記第２導入口に入球した遊技球に加えて、前記第３導入口に入球した遊技球を前記排出口に導くものであって、
前記第１導入口、前記第２導入口および前記第３導入口を、この順に開口面積が大きくなるように構成することで、前記第１ステージ部から前記第１導入口に遊技球が入球する可能性よりも、前記第２ステージ部から前記第２導入口に遊技球が入球する可能性を高め、前記第２ステージ部から前記第２導入口に遊技球が入球する可能性よりも、前記第３ステージ部から前記第３導入口に遊技球が入球する可能性を高めることを特徴とする請求項２に記載の遊技機。
【発明の詳細な説明】
【技術分野】
【０００１】
本発明は、遊技盤面上に形成される遊技領域に配置されたセンター役物に設けられ、遊技領域に配置された入賞口に遊技球を導くステージ部材を備えた遊技機に関する。
【背景技術】
【０００２】
従来から遊技機の中には、遊技盤面上に形成される遊技領域の略中央にセンター役物が設けられたものが知られている。このセンター役物の内部には種々の画像を変動表示する画像表示装置が配置されるとともに、センター役物の内部であって画像表示装置の下部には遊技球が転動するステージが設けられている。また、遊技領域上であってステージの下方には、始動口などの入賞口が配置されている。また、上記ステージには遊技球の進路を振り分ける振分手段が形成されており、振分手段により振り分けられた一部の遊技球が始動口の上方に位置するステージの排出口から排出されて始動口に入賞可能となる。なお、遊技球は、振分手段の振り分け具合により、始動口などの入賞口に入賞することなく、遊技領域上をそのまま落下していき、やがて遊技領域下方に設けられたアウト口に導かれることもある。
【０００３】
ここで、例えば、下記特許文献１に記載の遊技機は、センター役物の下部に複数のステージを備えており、複数のステージのうち一部のステージには、始動口の上方に位置するステージの排出口に遊技球を導く導入口が形成されている。
【特許文献１】特開２００４−１９４７１７号公報
【特許文献２】特開２００１−１７０２８４号公報
【発明の開示】
【発明が解決しようとする課題】
【０００４】
ところで、上記従来の遊技機では、複数のステージのうち、導入口が形成されているステージまで遊技球が移動しないと、遊技球が始動口の上方に位置する排出口に導かれない構造になっている。このため、例えば、導入口が複数のステージのうち遊技球が最初に到達する最上段のステージに形成されている構成では、遊技球が最上段のステージの導入口に入らず、次のステージに進行すると、遊技者は、遊技球が始動口に入球することを諦める。これにより、遊技者は、導入口が形成されたステージを遊技球が通過した段階で、遊技に対する期待がなくなり、遊技球が次のステージ以後を移動する遊技に対して、興味を示さなくなる。
【０００５】
そこで、本発明は、センター役物のステージ上における遊技球の移動に期待を持たせ、ひいては遊技に対する興趣を高めることができる遊技機を提供することを目的とする。
【課題を解決するための手段】
【０００６】
請求項１に記載の発明は、遊技盤面上に配置され、遊技球が入賞可能な入賞口と、前記遊技盤面における前記入賞口の上方に配置され、前記遊技盤面上を流下する遊技球を受入可能な受入口を有するセンター役物と、前記センター役物に設けられ、前記受入口により受け入れられた遊技球を転動させるステージ部材と、前記センター役物にあって前記入賞口の鉛直上方の部位に形成され、前記ステージ部材の遊技球を前記入賞口の上方に排出する排出口と、を備えた遊技機において、前記ステージ部材は、前記センター役物の左右方向に沿って設けられる第１ステージ部と、前記第１ステージ部の手前側に設けられ、仕切り部材により前記第１ステージ部と区画される第２ステージ部と、前記受入口により受け入れられた遊技球を前記第１ステージ部に誘導する第１誘導部と、前記第１ステージ部の上面の一部を開口して形成される第１導入口と、前記第１ステージ部を転動する遊技球を前記第１導入口に入球させるか否かを振り分ける第１振分部と、前記第１ステージ部を転動する遊技球のうち前記第１導入口に入球しなかった遊技球を、前記第２ステージ部に誘導する第２誘導部と、前記第２ステージ部の上面の一部を開口して形成される第２導入口と、前記第２ステージ部を転動する遊技球を前記第２導入口に入球させるか否かを振り分ける第２振分部と、  前記第１導入口に入球した遊技球および前記第２導入口に入球した遊技球を、前記排出口に導く誘導経路と、を備え、前記第１導入口および前記第２導入口は、前記仕切り部材の一部を切り欠いて前記第１ステージ部と前記第２ステージ部とに跨り一体的に形成されるとともに、前記第１導入口の開口面積と前記第２導入口の開口面積とが異なるように構成されることを特徴とする。
【０００７】
請求項１に記載の発明によれば、センター役物の内部に進入した遊技球は、先ず、第１ステージ部上を移動する。遊技球が第１ステージ部上を移動すると、移動する遊技球の進路及び移動速度などにより、一部の遊技球が第１導入口に進入する。そして、第１導入口に進入した遊技球は、第１導入口から排出口に導かれて、入賞口の真上からセンター役物外部の遊技領域に放出される。これにより、遊技球が入賞口に入球し易くなる。
【０００８】
その一方で、第１ステージ部上を移動中の遊技球が第１導入口に進入せず、第１ステージ部から第２ステージ部に進入することもある。この場合には、遊技球は、第２ステージ部を移動するが、第２導入口が第１ステージ部から第２ステージ部に跨って形成されているため、遊技球の進路や移動速度などによっては第２ステージ部を移動中に第２導入口に進入する。これによっても、遊技球が入賞口に入球し易くなる。
【０００９】
以上のように、遊技球が第１ステージ部を通過し、次の第２ステージ部に進入した場合でも、第２導入口に進入する場合があり得る。これにより、遊技者は、遊技球が第１ステージ部を通過した後も、遊技球の行方が気になるため、遊技球が各導入口に進入するかもしれないという期待をもって、遊技球の移動を見守ることになる。この結果、遊技球が第１ステージ部を通過した場合でも、遊技興趣を高めることができる。
特に、第１導入口は、第１ステージ部から第２ステージ部に跨り形成されているため、第１ステージ部及び第２ステージ部を移動する遊技球の進行経路に様々な可能性を略等しく持たせることができる。このため、遊技者は、遊技球の移動に関して期待を持って、かつドキドキ、ハラハラしながら見守ることになる。この結果、遊技興趣を一層高めることができる。
【００１０】
なお、請求項１に記載の「入賞口」とは、「遊技者に有利な遊技状態」を実現させるための契機となる入賞口を意味している。この「入賞口」への遊技球の入賞によって実現される「遊技者に有利な遊技状態」とは、例えば、少量の賞球（例えば、１５個以下の賞球）が払い出されること、多量の賞球（例えば、１００個以上の賞球）が払い出される特別遊技（大当り）が発生すること、特別遊技（大当り）を発生させるか否かの抽選（例えば、図柄変動遊技）を行うことなど、遊技者に対して所定の遊技上の特典が付与される状態を指す。
【００１１】
請求項２に記載の発明は、請求項１に記載の遊技機において、前記第１導入口および前記第２導入口は、前記第１導入口の開口面積よりも前記第２導入口の開口面積が大きくなるように構成されることを特徴とする。
【００１２】
請求項２に記載の発明によれば、第１ステージ部及び第２ステージ部を移動する遊技球の進行経路に様々な可能性を略等しく持たせることができるため、遊技者は、遊技球の移動に関して期待を持って、かつドキドキ、ハラハラしながら見守ることになる。この結果、遊技興趣を一層高めることができる。
【００１３】
請求項３に記載の発明は、請求項２に記載の遊技機において、前記ステージ部材は、前記第２ステージ部の手前側に設けられ、仕切り部材により前記第２ステージ部と区画される第３ステージ部と、前記第２ステージ部を転動する遊技球のうち前記第２導入口に入球しなかった遊技球を、前記第３ステージ部に誘導する第３誘導部と、前記第３ステージ部の上面の一部を開口して形成される第３導入口と、を備え、前記誘導経路は、前記第１導入口に入球した遊技球および前記第２導入口に入球した遊技球に加えて、前記第３導入口に入球した遊技球を前記排出口に導くものであって、前記第１導入口、前記第２導入口および前記第３導入口を、この順に開口面積が大きくなるように構成することで、前記第１ステージ部から前記第１導入口に遊技球が入球する可能性よりも、前記第２ステージ部から前記第２導入口に遊技球が入球する可能性を高め、前記第２ステージ部から前記第２導入口に遊技球が入球する可能性よりも、前記第３ステージ部から前記第３導入口に遊技球が入球する可能性を高めることを特徴とする。
【００１４】
請求項３に記載の発明によれば、第１ステージ部から第１導入口に遊技球が入球する可能性よりも、第２ステージ部から第２導入口に遊技球が入球する可能性を高め、第２ステージ部から第２導入口に遊技球が入球する可能性よりも、第３ステージ部から第３導入口に遊技球が入球する可能性を高めることができる。この結果、遊技者は、遊技球がセンター役物内部の全てのステージ部を移動していく過程に注目することになり、センター役物の内部における遊技興趣を一層高めることができる。
【００１７】
なお、本明細書において、「手前」とは、「遊技機を基準とする前方（つまり、遊技者に近接する方向）」を示し、「奥側」とは、遊技機を基準とする後方（つまり、遊技者から離間する方向）」を示す。また、「左」とは、遊技者から見て「左」であることを示し、「右」とは遊技者から見て「右」であることを示す。更に、「上」とは、遊技者から見て「上」であることを示し、「下」とは遊技者から見て「下」であることを示す。
【発明を実施するための最良の形態】
【００１８】
次に、本発明の第１実施形態に係る遊技機について、図面を参照して説明する。なお、本実施形態では本発明を弾球遊技機の一例であるパチンコ機に適用した構成を説明する。
【００１９】
図１に示すように、第１実施形態に係る遊技機であるパチンコ機（遊技機）１０の前面部には、主として、外枠１２と、内枠１４と、前面枠１６と、上皿部１８と、下皿部２０と、施錠装置２２と、発射ハンドル２４などが設けられている。
【００２０】
外枠１２は、木製の板状体を略長方形の額縁状に組立て固着したものである。内枠１４は、全体がブラスチック製で、外枠１２に対して開閉可能に軸支されている。また、内枠１４の右端の中央よりやや下方には施錠装置２２が設けられている。
【００２１】
前面枠１６は、本発明の前面扉の一具体例を示すもので、パチンコ機１０の前面部全体の約２／３のサイズを占め、内枠１４の左端に開閉可能となるように軸支されている。また、前面枠１６は、全体がプラスチック製であり、遊技盤２６（図２参照）を前方から視認するべく、遊技盤２６に形成された遊技領域２８（図２参照）の形状に対応して略円形に形成された開口部３０を有している。また、前面枠１６の裏面には、ガラス板３２がガラス枠（図示省略）によって取り付けられている。そして、遊技者を基準とすれば、遊技盤２６に形成された遊技領域２８はガラス板３２の後方に位置するようになっている。なお、本実施形態では、ガラス板３２を前面枠１６の裏面側に取り付けた構成を例にとり説明したが、例えば、前面枠１６の前面側にガラス枠により取り付けてもよい。また、ガラス板３２に替えて、透明な樹脂板を前面枠１６に取り付けることができる。
【００２２】
また、前面枠１６の左上方側及び右上方側には、メインスピーカ（図示省略）から出力された音声を前面枠１６の外部に導くための導音部３４がそれぞれ設けられている。各導音部３４は、円筒状の導音部本体（図示省略）と、導音部本体に形成された複数のスリット３８と、で構成されている。
【００２３】
また、前面枠１６の下方側には、上皿部１８が設けられている。この上皿部１８には、演出ボタン４０と、がそれぞれ設けられている。
【００２４】
また、上皿部１８の下方側には、下皿部２０が設けられている。また、下皿部２０の右下方側には、遊技球を発射させるための発射ハンドル２４が設けられている。この発射ハンドル２４には、発射レバー４４と、発射停止ボタン４６がそれぞれ設けられている。
【００２５】
また、下皿部２０の左右下方側には、所定の効果音を出力するための各サブスピーカ４８がそれぞれ設けられている。
【００２６】
また、内枠１４には、遊技領域２８（図２参照）の形状に合致した開口部（図示省略）が形成されている。この内枠１４の内側面には、遊技盤２６（図２参照）が取り付けられる。これにより、遊技者は、遊技盤２６の遊技領域２８を内枠１４の開口部及び前面枠１６の開口部３０を通して視認することができる。
【００２７】
次に、遊技盤２６の表面構造について図２を参照して説明する。
【００２８】
図２に示すように、遊技盤２６は、内枠１４に保持されるとともに、裏機構盤（図示省略）よりその背面側が覆われている。遊技盤２６には、遊技盤２６の表面に設けられた外レール５０と内レール５２とにより略円形状の遊技領域２８が区画形成されている。遊技領域２８には、主に演出図柄表示装置５６と、遊技ステージ（ステージ部材）５８を備えたセンター役物５４と、２つの始動口（入賞口）６０Ａ、６０Ｂを一体に備え始動入賞装置６０と、複数の入賞口６２と、普通図柄作動ゲート６４と、ＬＥＤ表示基板（図柄表示装置）６６と、大入賞装置６８と、多数の障害釘７０と、風車７２、アウト口７４等と、がそれぞれ配設されている。なお、本明細書でいう「遊技領域」とは、遊技盤２６の表面において遊技球が流下可能な領域を指す。
【００２９】
ここで、センター役物５４は、遊技領域２８の略中央の位置に設けられるもので、センター役物５４の中央には前後貫通した窓孔が形成されている。このセンター役物５４の内側（窓孔に対応する部位）には、演出図柄表示装置５６が設けられている。この演出図柄表示装置５６は、後述の主制御基板２０２（図４参照）やサブ制御基板２０６（図４参照）からの制御信号に基づいて表示制御されており、略長方形状の映像画面を有している。この映像画面は、センター役物５４の窓孔を介して遊技者から視認可能となり、この映像画面上には、特別図柄の擬似図柄である擬似特別図柄（擬似図柄）が表示される。具体的には、演出図柄表示装置５６の映像画面上には、１又は複数の擬似特別図柄を所定の方向に次々と変動させながら表示した後、停止表示する擬似特別図柄表示領域が形成されている。すなわち、左擬似特別図柄（左擬似図柄）を表示する左擬似特別図柄表示領域、中央擬似特別図柄（中央擬似図柄）を表示する中央擬似特別図柄表示領域、及び右擬似特別図柄（右擬似図柄）を表示する右擬似特別図柄表示領域が、略横一列となる配置方向に沿って並んで形成されている（それぞれ図示省略）。各擬似特別図柄表示領域は、これらの表示領域の配置方向と略直交する方向（上下方向）に図柄変動方向が設定されており、その方向に複数の擬似特別図柄が順次表示されていく。
【００３０】
演出図柄表示装置５６は、遊技球が始動入賞装置６０の２つの始動口６０Ａ、６０Ｂのいずれか一方に入球することにより、その映像画面の表示領域に表示される各擬似特別図柄をそれぞれ変動させて停止表示させるものである。そして、例えば、擬似特別図柄が「７、７、７」の３桁同一図柄で揃って停止表示（確定表示）すると、大入賞装置６８の大入賞口１５６が開放される。本実施形態のパチンコ機１０で始動入賞装置６０の始動口６０Ａ、６０Ｂのいずれか一方に遊技球が入球すると、各擬似特別図柄がそれぞれ変動され、擬似特別図柄が３桁同一図柄で揃うことにより、「大当り」という特定価値を付与するものである。なお、本実施形態のパチンコ機１０では、始動入賞装置６０を構成する２つの始動口６０Ａ、６０Ｂのうち、始動口６０Ｂは、一対の翼片部６０Ｃを有する普通電動役物によって構成されている。
【００３１】
ここで、本実施形態のパチンコ機１０では、例えば、大当りとして２種類のものが予め設定されている。具体的には、「７、７、７」などの同一の奇数数字の擬似特別図柄が３桁揃うことにより成立する確変大当りがある。また、「８、８、８」などの同一の偶数数字の擬似特別図柄が３桁揃うことにより成立する通常大当りがある。
【００３２】
確変大当り及び通常大当りは、比較的多くのラウンド数（例えば１５ラウンド）を有し、大入賞口１５６の開放時間が約２６秒間である大当りである。このため、賞球数が比較的多くなる。なお、各大当りでは、大入賞口１５６に所定数（例えば、１０個）の遊技球が入球するか、あるいは所定数（例えば、１０個）の遊技球が入球しなくても所定時間（例えば２６秒間）が経過したときに大入賞口１５６が閉じられて１ラウンドが終了する。
【００３３】
また、確率変動状態は、大当り（確変大当り、通常大当りの２種類の大当り意味する）に移行する確率が予め定められた高確率となる状態である。また、開放時間延長状態は、普通電動役物としての始動口６０Ｂの開放時間が通常よりも延長される状態である。例えば、通常の開放時間は、約０．１秒間であるのに対して、開放時間延長状態では、約４秒間に延長される。なお、普通電動役物としての始動口６０Ｂは、普通図柄に当選することにより開放状態となる。
【００３４】
また、確変大当りの後は、大当りに移行する確率が、通常遊技状態と比べ予め定められた高確率となる、特別図柄の確率変動状態になる。そして、次回大当りが発生するまでの間か、あるいは規定回数（例えば、１００００回）の特別図柄の変動表示が行われるまでの間、特別図柄及び普通図柄の変動時間が短縮され、かつ普通電動役物（始動口６０Ｂ）の開放延長機能が作動する。また、通常大当りの後は、大当りに移行する確率が通常遊技状態と同一の予め定められた低確率状態となるとともに、規定回数（例えば、１００回）だけ特別図柄及び普通図柄の変動時間が短縮され、かつ普通電動役物（始動口６０Ｂ）の開放延長機能が作動する時短遊技状態となる。
【００３５】
また、センター役物５４の内部かつ下部には、遊技ステージ５８が形成されている。この遊技ステージ５８には、センター役物５４の側壁部に形成された遊技球進入口（受入口）７６から進入してきた遊技球が導かれる。
【００３６】
ここで、本発明の要部となる遊技ステージ５８の構造について詳細に説明する。
【００３７】
図３に示すように、遊技ステージ５８は、遊技機の正面視にて奥側（最も遊技者側と反対側）に位置する第１遊技ステージ部（第１ステージ部）７８を備えている。第１遊技ステージ部７８の上面には、遊技球が転動する第１遊技球通過面８０が形成されている。第１遊技球通過面８０は、センター役物５４の左右方向に亘って形成されている。第１遊技ステージ部７８の第１遊技球通過面８０には、センター役物５４の側壁部に形成された遊技球進入口７６から進入してきた遊技球が導かれるように設定されている。また、第１遊技球通過面８０の奥側（液晶表示装置側（遊技者側と反対側））には、第１遊技球通過面８０を転動する遊技球が第１遊技球通過面８０から離脱することを防止するための第１壁部８２が、第１遊技球通過面８０の延在方向に亘って形成されている。さらに、第１遊技球通過面８０の手前側（液晶表示装置側と反対側（遊技者側））には、後述の第２遊技ステージ部（第２ステージ部）８４の第２遊技球通過面８６と第１遊技球通過面８０と区画するとともに、第１遊技球通過面８０又は第２遊技球通過面８６の一方を移動中の遊技球が第１遊技球通過面８０又は第２遊技球通過面８６の他方に進入することを阻止する区画壁部（仕切り部材）８８が、第１遊技球通過面８０の延在方向に亘って形成されている。
【００３８】
また、遊技機の正面視にて第１遊技ステージ部７８の手前側（遊技者側）には、第２遊技ステージ部８４を備えている。第２遊技ステージ部８４の上面には、遊技球が転動する第２遊技球通過面８６が形成されている。第２遊技球通過面８６は、第１遊技球通過面８０の手前側（遊技者側）であってセンター役物５４の左右方向に亘って形成されている。また、第２遊技球通過面８６と第１遊技球通過面８０とは、略同一の高さになるように設定されており、両者は、上述した区画壁部８８により区画されている。また、第２遊技球通過面８６の手前側（液晶表示装置側と反対側（遊技者側））には、第２遊技球通過面８６を転動する遊技球が第２遊技球通過面８６から離脱することを防止するための第２壁部９０が、第２遊技球通過面８６の延在方向に亘って形成されている。なお、第２遊技球通過面８６の奥側（液晶表示装置側（遊技者側と反対側））には、上述した区画壁部８８が、第２遊技球通過面８６の延在方向に亘って形成されている。
【００３９】
第１遊技球通過面８０及び第２遊技球通過面８６の左側には、遊技球進入口７６から進入してきた遊技球が最初に通過し、遊技球を第１遊技ステージ部７８の第１遊技球通過面８０、第２遊技ステージ部８４の第２遊技球通過面８６又は後述の第３遊技ステージ部１００の第３遊技球通過面１０２に振り分ける左側振分領域９２が形成されている。この左側振分領域９２には、奥側から手前側の部位にかけて若干下り傾斜した左側振分凹部９４が形成されている。この左側振分凹部９４は、遊技球進入口７６から左側振分領域９２に進入してきた遊技球の進路を第１遊技ステージ部７８の第１遊技球通過面８０、第２遊技ステージ部８４の第２遊技球通過面８６又は第３遊技ステージ部１００の第３遊技球通過面１０２のいずれかに振り分ける機能を有している。このため、遊技球進入口７６から左側振分領域９２に進入してきた遊技球は、転動する遊技球の勢い（速度）や転動方向の違いによって、一部が左側振分凹部９４により第１遊技ステージ部７８に振り分けられて第１遊技球通過面８０に進入し、他の一部は左側振分凹部９４により第２遊技ステージ部８４に振り分けられて第２遊技球通過面８６に進入し、さらに他の一部は左側振分凹部９４により第３遊技ステージ部１００に振り分けられて第３遊技球通過面１０２に進入する。
【００４０】
第１遊技球通過面８０及び第２遊技球通過面８６の右側には、第１遊技球通過面８０を通過してきた遊技球が進入し、遊技球を第２遊技ステージ部８４の第２遊技球通過面８６又は第３遊技ステージ部１００の第３遊技球通過面１０２に振り分ける右側振分領域９６が形成されている。この右側振分領域９６には、奥側から手前側の部位にかけて若干下り傾斜した右側振分凹部９８が形成されている。右側振分凹部９８は、第１遊技球通過面８０を通過してきた遊技球の進路を第２遊技ステージ部８４の第２遊技球通過面８６又は第３遊技ステージ部１００の第３遊技球通過面１０２のいずれかに振り分ける機能を有している。このため、第１遊技球通過面８０を通過して右側振分領域９６に進入してきた遊技球は、転動する遊技球の勢い（速度）や転動方向の違いによって、一部が右側振分凹部９８により第２遊技ステージ部８４に振り分けられて第２遊技球通過面８６に進入し、さらに他の一部は右側振分凹部９８により第３遊技ステージ部１００に振り分けられて第３遊技球通過面１０２に進入する。
【００４１】
以上のように、第１遊技ステージ部７８の第１遊技球通過面８０と第２遊技ステージ部８４の第２遊技球通過面８６とは、左右両側において左側振分領域９２及び右側振分領域９６とによって相互に接続された状態になっている。換言すれば、第１遊技ステージ部７８の第１遊技球通過面８０を通過して第２遊技ステージ部８４の第２遊技球通過面８６に進入した遊技球は、第３遊技ステージ部１００の第３遊技球通過面１０２に進入する可能性があり、また、第２遊技ステージ部８４の第２遊技球通過面８６を右側から左側に向かって移動する可能性がある。そして、第２遊技ステージ部８４の第２遊技球通過面８６から右側振分領域９６に進入した遊技球は、再度、第１遊技ステージ部７８の第１遊技球通過面８０に進入する可能性があり、また、第３遊技ステージ部１００の第３遊技球通過面１０２に進入する可能性がある。
【００４２】
ここで、第１遊技ステージ部７８の第１遊技球通過面８０及び第２遊技ステージ部８４の第２遊技球通過面８６の左右方向の中央部位には、遊技球が進入可能な導入口１０４が形成されている。この導入口１０４は、区画壁部８８の延在方向の中央部近傍を切り欠いて形成されている。導入口１０４の開口部１０６は、第１遊技ステージ部７８の第１遊技球通過面８０から第２遊技ステージ部８４の第２遊技球通過面８６に跨るようにして形成されている。具体的には、導入口１０４の開口部１０６は、当該開口部１０６の全開口面積のうち約半分の開口面積を占める第１開口部１０６Ａと、当該開口部１０６の全開口面積のうち約半分の開口面積を占める第２開口部１０６Ｂと、で構成されている。そして、導入口１０４は、第１開口部１０６Ａが第１遊技球通過面８０上に位置し、第２開口部１０６Ｂが第２遊技球通過面８０上に位置するように形成されている。上記導入口１０４は、センター役物５４の底部において、後述の排出口１１８と誘導路（図示省略）によって連通した構成になっている。
【００４３】
また、第１開口部１０６Ａは、第１遊技ステージ部７８の第１遊技球通過面８０の遊技機前後方向にわたるステージ幅の略中央部から第２遊技ステージ部８４の第２遊技球通過面８６側端部にかけて形成されている。このため、第１開口部１０６Ａは、第１遊技球通過面８０の手前側端部から第１遊技球通過面８０のステージ幅の幅方向中央部までの領域に及んでいる。また同様にして、第２開口部１０６Ｂは、第２遊技ステージ部８４の第２遊技球通過面８６の遊技機前後方向にわたるステージ幅の略中央部から第１遊技ステージ部７８の第１遊技球通過面８０側端部にかけて形成されている。このため、第２開口部１０６Ｂは、第２遊技球通過面８６の奥側端部から第２遊技球通過面８６の幅方向中央部までの領域に及んでいる。これらのように、導入口１０４の開口部１０６は、第１遊技球通過面８０に形成された第１開口部１０６Ａと、第２遊技球通過面８６に形成された第２開口部１０６Ｂと、が一体となった１つの開口部として形成されている。
【００４４】
ここで、導入口１０４の開口部１０６の一部を構成する第１開口部１０６Ａの近傍には、第１遊技球通過面８０を移動する遊技球を振り分けて導入口１０４に導く凹部状の第１導球部（振分部）１０８が形成されている。第１導球部１０８は、第１遊技球通過面８０の遊技機前後方向に延びるステージ幅の略全域にわたって形成されている。第１導球部１０８は、第１遊技球通過面８０の遊技機前後方向に延びるステージ幅の奥側から手前側（第１開口部１０６Ａ側）に向かって下り傾斜するように形成されている。このため、第１遊技球通過面８０を移動する遊技球は、その移動速度や移動経路などによって、第１導球部１０８で振り分けられて導入口１０４に導かれる。
【００４５】
なお、図３に示すように第１導球部（振分部、第１振分部）１０８の表面積の大きさは、第２導球部（振分部、第２振分部）１１０の表面積の大きさよりも大きくなるように設定されている。第１遊技ステージ７８を通過する遊技球の速さのほうが第２遊技球ステージ８４を通過する速さよりも速いため、第１導球部（振分部）１０８でも遊技球を捕捉しやすくするため、大きくしてある。
【００４６】
また、導入口１０４の開口部１０６の一部を構成する第２開口部１０６Ｂの近傍には、第２遊技球通過面８６を移動する遊技球を振り分けて導入口１０４に導く凹部状の第２導球部（振分部）１１０が形成されている。第２導球部１１０は、第２遊技球通過面８６の遊技機前後方向に延びるステージ幅の略全域にわたって形成されている。第２導球部１１０は、第２遊技球通過面８６の遊技機前後方向に延びるステージ幅の手前側から奥側（第２開口部１０６Ｂ側）に向かって下り傾斜するように形成されている。このため、第２遊技球通過面８６を移動する遊技球は、その移動速度や移動経路などによって、第２導球部１１０で振り分けられて導入口１０４に導かれる。
【００４７】
また、第２遊技ステージ部８４の第２遊技球通過面８６の手前側には、第３遊技ステージ部１００を備えている。第３遊技ステージ部１００の上面には、遊技球が転動する第３遊技球通過面１０２が形成されている。第３遊技球通過面１０２は、第２遊技球通過面８６の手前側（遊技者側）であってセンター役物５４の左右方向に亘って形成されている。また、第３遊技球通過面１０２は、第１遊技球通過面８０及び第２遊技球通過面８６よりも低い位置（下方の位置）に形成されている。第３遊技球通過面１０２が第１遊技球通過面８０及び第２遊技球通過面８６よりも下方に位置するため、第３遊技球通過面１０２の奥側端部には、第２遊技ステージ部８４を形成する垂直壁部１１２が形成されている。このため、第３遊技球通過面１０２と第２遊技球通過面８６とは、垂直壁部１１２で区画されている。また、第３遊技球通過面１０２の手前側には、第３遊技球通過面１０２を転動する遊技球が第３遊技球通過面１０２から離脱することを防止するための第３壁部１１４が、第３遊技球通過面１０２の延在方向に亘って形成されている。
【００４８】
ここで、第３遊技球通過面１０２は、大きく分けて、左右方向の中央側に位置する第３中央側遊技球通過面１０２Ａと、第３中央側遊技球通過面１０２Ａの左側に位置する第３左側遊技球通過面１０２Ｂと、第３中央側遊技球通過面１０２Ａの右側に位置する第３右側遊技球通過面１０２Ｃと、で構成されている。
【００４９】
第３中央側遊技球通過面１０２Ａには、第３壁部１１４を切り欠いて中央側小振分凹部１１６Ａが形成されている。中央側小振分凹部１１６Ａは、第３中央側遊技球通過面１０２Ａの奥側から手前側に向かって若干下り傾斜するように形成されている。中央側小振分凹部１１６Ａは、始動口６０Ａ（６０Ｂ）及び排出口１１８の鉛直上方に位置している。中央側小振分凹部１１６Ａは、第３中央側遊技球通過面１０２Ａを移動する遊技球の一部を振り分ける機能を有している。これにより、第３中央側遊技球通過面１０２Ａを移動する遊技球の一部は、中央側小振分凹部１１６Ａにより振り分けられて中央側小振分凹部１１６Ａから零れ落ち、センター役物５４の外部に放出される。なお、中央側小振分凹部１１６Ａは始動口６０Ａ（６０Ｂ）の真上に位置しているため、中央側小振分凹部１１６Ａから落下した遊技球は、始動口６０Ａ（６０Ｂ）に入球し易くなる。
【００５０】
第３左側遊技球通過面１０２Ｂには、第３壁部１１４を切り欠いて左側小振分凹部１１６Ｂが形成されている。左側小振分凹部１１６Ｂは、第３左側遊技球通過面１０２Ｂの奥側から手前側に向かって若干下り傾斜するように形成されている。左側小振分凹部１１６Ｂは、始動口６０Ａ（６０Ｂ）及び排出口１１８の鉛直上方ではなく、左側に位置ずれしている。左側小振分凹部１１６Ｂは、第３左側遊技球通過面１０２Ｂを移動する遊技球の一部を振り分ける機能を有している。これにより、第３左側遊技球通過面１０２Ｂを移動する遊技球の一部は、左側小振分凹部１１６Ｂにより振り分けられて左側小振分凹部１１６Ｂから零れ落ち、センター役物５４の外部に放出される。なお、左側小振分凹部１１６Ｂは、始動口６０Ａ（６０Ｂ）の真上ではなく、左側に位置しているため、左側小振分凹部１１６Ｂから落下した遊技球は、始動口６０Ａ（６０Ｂ）に入球し難くなる。
【００５１】
第３右側遊技球通過面１０２Ｃには、第３壁部１１４を切り欠いて右側小振分凹部１１６Ｃが形成されている。右側小振分凹部１１６Ｃは、第３右側遊技球通過面１０２Ｃの奥側から手前側に向かって若干下り傾斜するように形成されている。右側小振分凹部１１６Ｃは、始動口６０Ａ（６０Ｂ）及び排出口１１８の鉛直上方ではなく、右側に位置ずれしている。右側小振分凹部１１６Ｃは、第３右側遊技球通過面１０２Ｃを移動する遊技球の一部を振り分ける機能を有している。これにより、第３右側遊技球通過面１０２Ｃを移動する遊技球の一部は、右側小振分凹部１１６Ｃにより振り分けられて右側小振分凹部１１６Ｃから零れ落ち、センター役物５４の外部に放出される。なお、右側小振分凹部１１６Ｃは、始動口６０Ａ（６０Ｂ）の真上ではなく、右側に位置しているため、右側小振分凹部１１６Ｃから落下した遊技球は、始動口６０Ａ（６０Ｂ）に入球し難くなる。
【００５２】
第３左側遊技球通過面１０２Ｂは、パチンコ機正面視にて左側から右側に向かって下り傾斜しており、第３中央側遊技球通過面１０２Ａと接続されている。左側振分凹部９４から落下した遊技球の一部は、第３左側遊技球通過面１０２Ｂに進入する。第３左側遊技球通過面１０２Ｂに進入した遊技球は、第３壁部１１４によりガイドされながら、第３中央側遊技球通過面１０２Ａに移動する。
【００５３】
第３右側遊技球通過面１０２Ｃは、パチンコ機正面視にて右側から左側に向かって下り傾斜しており、第３中央側遊技球通過面１０２Ａと接続されている。右側振分凹部９８から落下した遊技球の一部は、第３右側遊技球通過面１０２Ｃに進入する。第３右側遊技球通過面１０２Ｃに進入した遊技球は、第３壁部１１４によりガイドされながら、第３中央側遊技球通過面１０２Ａに移動する。
【００５４】
ここで、第３遊技ステージ部１００の第３遊技球通過面１０２の下方に位置するセンター役物５４の正面壁部５４Ａには、排出口１１８が形成されている。この排出口１１８は、センター役物５４の内部で導入口１０４と誘導路で連通するように形成されている。このため、導入口１０４に進入した遊技球は、誘導路によって排出口１１８に必ず導かれることになる。また、排出口１１８は、始動口６０Ａ（６０Ｂ）の鉛直上方に位置している。このため、始動口６０Ａ（６０Ｂ）、排出口１１８、導入口１０４及び中央側小振分凹部１１６Ａは、遊技者から見て鉛直線上に並んだ位置関係になる。
【００５５】
図２に示すように、遊技領域２８上であってセンター役物５４の下方には、始動入賞装置６０が配置されている。始動入賞装置６０には、ベース部材６０Ｄに２つの始動口６０Ａ、６０Ｂが一体的に設けられた構成となっている。一方の始動口６０Ａは、ベース部材６０Ｄの上部に設けられており、常時開口した箱状に形成されている。他方の始動口６０Ｂは、ベース部材６０Ｄの下部に設けられており、箱状に形成されているが、一対の翼片部６０Ｃが開閉可能に設けられたチューリップ式の構成、すなわち普通電動役物となっている。各始動口６０Ａ、６０Ｂの内部には、遊技球の通過を検知する始動口スイッチ２１２（図４参照）が設けられている。また、一方の始動口６０Ｂの内部には、翼片部６０Ｃを作動させるための普通電動役物ソレノイド２２２（図４参照）が設けられている。この一対の翼片部６０Ｃが左右に開くと始動口６０Ｂの開放面積が大きくなって遊技球の入球可能性が大きくなる開放状態となり、一対の翼片部６０Ｃが閉じその離間距離が小さくなると始動口６０Ｂの開放面積が小さくなって遊技球の入球の可能性が小さくなる通常状態となる。なお、遊技球が各始動口６０Ａ、６０Ｂのいずれか一方に入賞すると、特別図柄（大当り）の抽選処理が開始されるとともに、特別図柄表示ＬＥＤ１４８及び演出図柄表示装置５６において特別図柄の変動表示が開始される（特別図柄遊技の開始）。
【００５６】
また、各始動口６０Ａ（６０Ｂ）は、鉛直方向に延びる直線上に位置している。なお、上述したように、各始動口６０Ａ（６０Ｂ）の鉛直方向に延びる直線上には、排出口１１８、導入口１０４及び中央側小振分凹部１１６Ａがそれぞれ位置している。
【００５７】
また、遊技領域２８上であってセンター役物５４の下方には、４つの入賞口６２が配置されている。具体的には、各始動口６０Ａ（６０Ｂ）の右側に２つの入賞口６２が配置されており、各始動口６０Ａ（６０Ｂ）の左側に２つの入賞口６２が配置されている。各入賞口６２は、常時開口した箱状に形成されている。各入賞口６２に遊技球が入賞することにより、所定数の遊技球が払い出されるようになっている。
【００５８】
また、遊技領域２８上であってセンター役物５４の左側には、普通図柄作動ゲート６４が配置されている。この普通図柄作動ゲート６４の内部には、ゲートスイッチ２１６（図４参照）が配設されている。これにより、遊技球が普通図柄作動ゲート６４を通過すると、ゲートスイッチ２１６が作動して、ＬＥＤ表示基板６６の普通図柄表示ＬＥＤ１５４が変動表示される。
【００５９】
また、遊技領域２８上であってセンター役物５４の左下方側には、主制御基板２０２からの制御信号に基づいて本図柄（特別図柄の本図柄及び普通図柄の本図柄を意味する）を表示制御するＬＥＤ表示基板（図柄表示装置）６６が配置されている。このＬＥＤ表示基板６６は、特別図柄の本図柄を表示する複数の特別図柄表示ＬＥＤ１４８と、複数の普通図柄保留表示ＬＥＤ１５０と、複数の特別図柄保留表示ＬＥＤ１５２と、普通図柄の本図柄を表示する２個の普通図柄表示ＬＥＤ１５４と、を備えている。
【００６０】
各普通図柄保留表示ＬＥＤ１５０及び各特別図柄保留表示ＬＥＤ１５２は、丸形の赤色ＬＥＤで構成されており、特別図柄表示ＬＥＤ１４８に近接して配置されている。普通図柄保留表示ＬＥＤ１５０は、普通図柄作動ゲート６４を通過した遊技球の数を普通図柄の保留とし、通過ごとに順次点灯しシフト表示するものである。また、特別図柄保留表示ＬＥＤ１５２は、始動口６０Ａ、６０Ｂに入球した遊技球の数も特別図柄の保留とし、入球ごとに順次点灯しシフト表示するものである。特別図柄表示ＬＥＤ１４８の変動表示が開始するたびに、未始動回数が消化され、１個の特別図柄保留表示ＬＥＤ１５２は消灯される。また、普通図柄も普通図柄表示ＬＥＤ１５４の変動表示が開始するたびに、未始動回数が消化され、１個の普通図柄保留表示ＬＥＤ１５０が消灯される。そして、特別図柄表示ＬＥＤ１４８に予め定められた大当り図柄が停止表示されると大当りが発生し、後述の大入賞口１５６が開放状態となる。また、２個の普通図柄表示ＬＥＤ１５４が予め定められた表示態様（当り図柄）で停止表示されると、普通図柄遊技の当りが発生し、始動入賞装置６０の一方の始動口６０Ｂが開放状態となる。このとき、始動入賞装置の他方の始動口６０Ａは、構造上、常時開放した状態となっている。なお、特別図柄表示ＬＥＤ１４８にて表示される特別図柄の本図柄と、演出図柄表示装置５６にて表示される特別図柄の擬似図柄とは、同一の遊技結果（抽選結果）を示すものである。
【００６１】
また、遊技領域２８上であって始動入賞装置６０の下方には、大入賞装置６８が配置されている。大入賞装置６８は、帯状に開口された大入賞口１５６と、この大入賞口１５６を開放又は閉鎖する開閉板１５８と、この開閉板１５８を開閉するための大入賞口ソレノイド２２４（図４参照）と、入賞球を検知するカウントスイッチ２１８（図４参照）と、を備えている。
【００６２】
また、遊技領域２８上であって大入賞装置６８の下方には、アウト口７４が設けられている。
【００６３】
次に、パチンコ機１０を構成する電子制御装置について説明する。
【００６４】
図４及び図５に示すように、電子制御装置２００は、主制御基板２０２と、払出制御基板２０４と、サブ制御基板２０６と、発射制御基板２０８と、を備えている。
【００６５】
図４に示すように、主制御基板２０２は、ＣＰＵ２０２Ａと、ＲＯＭ２０２Ｂと、を備えている。
【００６６】
また、主制御基板２０２のＣＰＵ２０２Ａは、ＲＯＭ２０２Ｂに記憶されたデータに基づいて、後述の普通電動役物ソレノイド２２２、後述の大入賞口ソレノイド２２４、後述の図柄表示装置２２６及びサブ制御基板２０６をそれぞれ制御する。また、主制御基板２０２のＣＰＵ２０２Ａは、遊技全体を司り主として当否判定などの遊技状態を判断するものであり、この判断した遊技状態に沿った遊技環境（演出態様）を実現させるように制御するサブ制御基板２０６及び払出制御基板２０４を直接的に制御する。また、主制御基板２０２のＣＰＵ２０２Ａは、演出表示基板２５８、アンプ基板２６０、装飾駆動基板２６２及び演出ボタン基板２６４をサブ制御基板２０６を介して間接的に制御する。
【００６７】
また、主制御基板２０２のＲＯＭ２０２Ｂには、ＣＰＵ２０２Ａにより実行される遊技全体の制御を実現するためのプログラムが記憶されている。
【００６８】
また、主制御基板２０２は、中継端子板２１０を介して、始動口スイッチ２１２と、大入賞口スイッチ２１４と、ゲートスイッチ２１６と、カウントスイッチ２１８と、にそれぞれ電気的に接続されている。
【００６９】
また、主制御基板２０２は、中継端子板２２０を介して、普通電動役物ソレノイド２２２と、大入賞口ソレノイド２２４と、図柄表示装置２２６と、にそれぞれ電気的に接続されている。なお、ＬＥＤ表示基板６６は、図柄表示装置２２６の一実施形態である。
【００７０】
払出制御基板２０４は、中継端子板２２８を介して、ガラス枠スイッチ２３０と、外部タンクスイッチ２３２と、タンクスイッチ２３４と、にそれぞれ電気的に接続されている。また、払出制御基板２０４は、中継端子板２３６を介して、エラーＬＥＤ２３８に電気的に接続されている。また、払出制御基板２０４は、下皿満タンスイッチ２４０に電気的に接続されている。また、払出制御基板２０４は、中継端子板２４２を介して、球貸表示基板２４４と、球貸装置（ＣＲユニット）２４６と、にそれぞれ電気的に接続されている。
【００７１】
また、球貸表示基板２４４には、球貸スイッチ２４８と、返却スイッチ２５０と、がそれぞれ電気的に接続されている。また、払出制御基板２０４は、中継端子板２５２を介して、払出モータ２５４と払出スイッチ２５６とにそれぞれ電気的に接続されている。さらに、払出制御基板２０４は、主制御基板２０２と発射制御基板２０８とにそれぞれ電気的に接続されている。
【００７２】
サブ制御基板２０６は、演出表示基板２５８と、アンプ基板２６０と、装飾駆動基板２６２と、演出ボタン基板２６４と、にそれぞれ電気的に接続されている。
【００７３】
サブ制御基板２０６は、主制御基板２０２からの制御信号に基づいて遊技の演出の制御を司るものである。また、サブ制御基板２０６は、ＣＰＵ２０６Ａと、ＲＯＭ２０６Ｂと、を備えている。
【００７４】
サブ制御基板２０６のＣＰＵ２０６Ａは、主制御基板２０２からの制御信号を受けて演出表示基板２５８、アンプ基板２６０、装飾駆動基板２６２及び演出ボタン基板２６４などの各基板を制御する。
【００７５】
また、ＲＯＭ２０６Ｂには、各基板の制御に必要なデータ（特に遊技の装飾に関する情報）が記憶されている。
【００７６】
また、図５に示すように、演出表示基板２５８には、演出表示装置２６６（５６）と、演出表示ＲＯＭ２６８と、がそれぞれ電気的に接続されている。この演出表示ＲＯＭ２６８には、演出図柄表示装置５６で変動表示される擬似特別図柄のデータが記憶されている。なお、演出図柄表示装置５６は、演出表示装置２６６の一実施形態である。
【００７７】
また、アンプ基板２６０には、所定の効果音を出力する各種スピーカ２７０（４８）が電気的に接続されている。なお、サブスピーカ４８は、各種スピーカ２７０の一実施形態である。
【００７８】
また、装飾駆動基板２６２には、各種ＬＥＤ・ランプ２７２が電気的に接続されている。また、装飾駆動基板２６２は、サブ制御基板２０６からのコマンドを受けて遊技の装飾に関する制御を行うものである。また、演出ボタン基板２６４には、操作スイッチ２７４が電気的に接続されている。
【００７９】
次に、本実施形態のパチンコ遊技機１０の作用について説明する。
【００８０】
図２、図３及び図６に示すように、発射ハンドル２４を操作すると、遊技領域２８に向かって遊技球が発射される。遊技領域２８に到達した遊技球は、障害釘７０に衝突しながら落下していく。遊技領域２８上を遊技球が落下していく中で、一部の遊技球は、センター役物５４の側壁部に形成された遊技球進入口７６からセンター役物５４の内部に進入する。
【００８１】
遊技球がセンター役物５４の側壁部に形成された遊技球進入口７６からセンター役物５４の内部に進入すると、必ず、左側振分領域９２に進入する。この遊技球は、遊技球の移動経路や移動速度などの要因により、左側振分凹部９４によって第１遊技ステージ部７８の第１遊技球通過面８０、第２遊技ステージ部８４の第２遊技球通過面８６又は第３遊技ステージ部１００の第３遊技球通過面１０２に振り分けられる。左側振分凹部９４によって第１遊技ステージ部７８の第１遊技球通過面８０に振り分けられた遊技球は、第１遊技ステージ部７８の第１遊技球通過面８０を遊技機の正面視にて左側から右側に移動する。なお、このとき、遊技球の移動経路によっては、遊技球は、第１壁部８２と区画壁部８８との衝突を繰り返しながら、第１遊技ステージ部７８の第１遊技球通過面８０を移動する。
【００８２】
遊技球が第１遊技ステージ部７８の第１遊技球通過面８０を移動していくと、やがて第１導球部１０８に到達する。ここで、遊技球は、遊技球の移動経路及び移動速度と第１導球部１０８の振分機能とによって、導入口１０４の開口部１０６の一部を構成する第１開口部１０６Ａに導かれる。第１開口部１０６Ａに導かれた遊技球は、導入口１０４に進入し、センター役物５４の底部に形成された誘導路（図示省略）を通って排出口１１８に導かれる。排出口１１８から排出された遊技球は、始動口６０Ａ（６０Ｂ）の真上で排出されたことになるため、始動口６０Ａ（６０Ｂ）に入球し易くなる。すなわち、始動口６０Ａ（６０Ｂ）の鉛直上方に位置し、かつ遊技球をセンター役物５４の外部に排出する部位は、排出口１１８の他に、第３遊技ステージ部１００の中央側小振分凹部１１６Ａが存在する。ここで、排出口１１８から始動口６０Ａ（６０Ｂ）までの距離と、中央側小振分凹部１１６Ａから始動口６０Ａ（６０Ｂ）までの距離と、を比較すると、前者の距離が後者の距離よりも短い距離になるため、排出口１１８から排出それた遊技球の方が中央側小振分凹部１１６Ａから放出した遊技球よりも、始動口６０Ａ（６０Ｂ）に入球する確率が高くなる。このため、排出口１１８から遊技球が排出された場合には、遊技球が始動口６０Ａ（６０Ｂ）に入球し易くなり、遊技者は、遊技球が導入口１０４に進入して排出口１１８から排出される流れを一層期待する。
【００８３】
第１導球部１０８によって第１開口部１０６Ａに導かれなかった遊技球は、第１遊技ステージ部７８の第１遊技球通過面８０をパチンコ機正面視にて左側から右側に移動し続ける。このとき、遊技球は、移動経路によって第１壁部８２と区画壁部８８とによって衝突を繰り返しながら移動する。そして、遊技球は、右側振分領域９６に進入する。この遊技球は、遊技球の移動経路や移動速度などの要因により、右側振分凹部９８によって第２遊技ステージ部８４の第２遊技球通過面８６又は第３遊技ステージ部１００の第３遊技球通過面１０２に振り分けられる。右側振分凹部９８によって第２遊技ステージ部８４の第２遊技球通過面８６に振り分けられた遊技球は、第２遊技ステージ部８４の第２遊技球通過面８６をパチンコ機正面視にて右側から左側に移動する。なお、このとき、遊技球の移動経路によっては、遊技球は、第２壁部９０と区画壁部８８との衝突を繰り返しながら、第２遊技ステージ部８４の第２遊技球通過面８６を移動する。
【００８４】
遊技球が第２遊技ステージ部８４の第２遊技球通過面８６を移動していくと、やがて第２導球部１１０に到達する。ここで、遊技球は、遊技球の移動経路及び移動速度と第２導球部１１０の振分機能とによって、導入口１０４の開口部１０６の一部を構成する第２開口部１０６Ｂに導かれる。第２開口部１０６Ｂに導かれた遊技球は、導入口１０４に進入し、センター役物５４の底部に形成された誘導路（図示省略）を通って排出口１１８に導かれる。排出口１１８から排出された遊技球は、上述の通り、始動口６０Ａ（６０Ｂ）の真上で排出されたことになるため、始動口６０Ａ（６０Ｂ）に入球し易くなる。ここで、従来のパチンコ機のように、第１遊技ステージ部７８の第１遊技球通過面８０のみに導入口１０４が形成されている構成では、遊技球が第１遊技ステージ部７８の第１遊技球通過面８０を通過すると、遊技球が排出口１１８に導かれる可能性がなくなるため、第２遊技ステージ部の第２遊技球通過面及び第３遊技ステージ部の第３遊技球通過面を別に用意していても、遊技者は、第２遊技ステージ部の第２遊技球通過面及び第３遊技ステージ部の第３遊技球通過面を移動する遊技球に関心することはなかった。しかし、本実施形態の構成では、導入口１０４が第１遊技ステージ部７８の第１遊技球通過面８０から第２遊技ステージ部８４の第２遊技球通過面８６に跨って形成されているため、第１遊技ステージ部７８の第１遊技球通過面８０を通過した遊技球が第２遊技ステージ部８４の第２遊技球通過面８６に進入し移動する過程でも、導入口１０４に進入する可能性が少なからず存在する。このため、遊技者は、第１遊技ステージ部７８の第１遊技球通過面８０を通過した後、第２遊技ステージ部８４の第２遊技球通過面８６を通過する遊技球に対しても期待と関心を持って見守ることになる。
【００８５】
第２導球部１１０によって第２開口部１０６Ｂに導かれなかった遊技球は、第２遊技ステージ部８４の第２遊技球通過面８６をパチンコ機正面視にて右側から左側に移動し続ける。このとき、遊技球は、移動経路によって第２壁部９０と区画壁部８８とによって衝突を繰り返しながら移動する。そして、遊技球は、再度、左側振分領域９２に進入する。この遊技球は、遊技球の移動経路や移動速度などの要因により、左側振分凹部９４によって第１遊技ステージ部７８の第１遊技球通過面８０又は第３遊技ステージ部１００の第３遊技球通過面１０２に振り分けられる。左側振分凹部９４によって第１遊技ステージ部７８の第１遊技球通過面８０に振り分けられた遊技球は、上述した過程と同じ過程をたどる。
【００８６】
左側振分凹部９４によって第３遊技ステージ部１００の第３遊技球通過面１０２に振り分けられた遊技球は、場合によっては第３壁部１１４と衝突しながら、第３左側遊技球通過面１０２Ｂに進入する。第３左側遊技球通過面１０２Ｂに進入した遊技球は、左側小振分凹部１１６Ｂに進入する。左側小振分凹部１１６Ｂに進入した遊技球は、左側小振分凹部１１６Ｂにより振り分けられ、その一部が左側小振分凹部１１６Ｂから落下する。左側小振分凹部１１６Ｂから落下した遊技球は、センター役物５４の外部の遊技領域２８に落ちることになるが、左側小振分凹部１１６Ｂが始動口６０Ａ（６０Ｂ）よりも左側に位置ずれしているため、始動口６０Ａ（６０Ｂ）に入球することはほとんどない。左側小振分凹部１１６Ｂから落下することなく、第３中央側遊技球通過面１０２Ａに振り分けられた遊技球は、第３中央側遊技球通過面１０２Ａをパチンコ機正面視にて左側から右側に移動し、中央側小振分凹部１１６Ａに進入する。中央側小振分凹部１１６Ａに進入した遊技球は、中央側小振分凹部１１６Ａにより振り分けられ、その一部が中央側小振分凹部１１６Ａから落下する。中央側小振分凹部１１６Ａから落下した遊技球は、センター役物５４の外部の遊技領域２８に落ちることになる。ここで、上述したように、中央側小振分凹部１１６Ａは始動口６０Ａ（６０Ｂ）の鉛直上方（真上）に位置しているため、中央側小振分凹部１１６Ａから放出した遊技球は、始動口６０Ａ（６０Ｂ）に入球し易くなる。中央側小振分凹部１１６Ａから放出した遊技球が始動口６０Ａ（６０Ｂ）に入球する確率は、排出口１１８から排出された遊技球が始動口６０Ａ（６０Ｂ）に入球する確率の次に高くなる。このように、遊技球が導入口１０４に進入せず、第１遊技ステージ部７８及び第２遊技ステージ部８４を通過した場合でも、第３遊技ステージ部１００の中央側小振分凹部１１６Ａから落下すれば、始動口６０Ａ（６０Ｂ）に比較的入球し易くなるため、遊技者の期待や関心を集めることになる。このように、遊技者からすれば、遊技球が第１遊技ステージ部７８、第２遊技ステージ部８４及び第３遊技ステージ部１００の全てを通過しなければ、始動口６０Ａ（６０Ｂ）への入球が判別できなくなるため、遊技球が第１遊技ステージ部７８、第２遊技ステージ部８４及び第３遊技ステージ部１００を通過する過程では、遊技者の遊技興趣を一層高めることができる。また、中央側小振分凹部１１６Ａから落下することなく、第３右側遊技球通過面１０２Ｃ側に振り分けられた遊技球は、第３中央側遊技球通過面１０２Ａをパチンコ機正面視にて左側から右側に移動し、第３右側遊技球通過面１０２Ｃの右側小振分凹部１１６Ｃに進入する。右側小振分凹部１１６Ｃに進入した遊技球は、右側小振分凹部１１６Ｃにより振り分けられ、その一部が右側小振分凹部１１６Ｃから落下する。右側小振分凹部１１６Ｃから落下した遊技球は、センター役物５４の外部の遊技領域２８に落ちることになるが、右側小振分凹部１１６Ｃが始動口６０Ａ（６０Ｂ）よりも右側に位置ずれしているため、始動口６０Ａ（６０Ｂ）に入球することはほとんどない。
【００８７】
一方、センター役物５４の側壁部に形成された遊技球進入口７６からセンター役物５４の内部に進入した遊技球が左側振分凹部９４によって第２遊技ステージ部８４の第２遊技球通過面８６に振り分けられた場合には、遊技球は、第２遊技ステージ部８４の第２遊技球通過面８６を遊技機の正面視にて左側から右側に移動する。このとき、遊技球の移動経路によっては、遊技球は、第２壁部９０と区画壁部８８との衝突を繰り返しながら、第２遊技ステージ部８４の第２遊技球通過面８６を移動する。遊技球が第２遊技ステージ部８４の第２遊技球通過面８６を移動していくと、やがて第２導球部１１０に到達する。ここで、遊技球は、遊技球の移動経路及び移動速度と第２導球部１１０の振分機能とによって、導入口１０４の開口部１０６の一部を構成する第２開口部１０６Ｂに導かれる。第２開口部１０６Ｂに導かれた遊技球は、導入口１０４に進入し、センター役物５４の底部に形成された誘導路（図示省略）を通って排出口１１８に導かれる。排出口１１８から排出された遊技球は、上述の通り、始動口６０Ａ（６０Ｂ）の真上で排出されたことになるため、始動口６０Ａ（６０Ｂ）に入球し易くなる。ここで、従来のパチンコ機のように、第１遊技ステージ部７８の第１遊技球通過面８０のみに導入口１０４が形成されている構成では、遊技球が第１遊技ステージ部の第１遊技球通過面を通過することなく、直接第２遊技ステージ部の第２遊技球通過面に進入した場合には、第１遊技球通過面に形成された排出口１１８に遊技球が進入する可能性がなくなるため、第２遊技ステージ部の第２遊技球通過面及び第３遊技ステージ部の第３遊技球通過面を別に用意していても、遊技者は、第２遊技ステージ部の第２遊技球通過面を移動する遊技球に興味を示すことはない。しかし、本実施形態の構成では、導入口１０４が第１遊技ステージ部７８の第１遊技球通過面８０から第２遊技ステージ部８４の第２遊技球通過面８６に跨って形成されているため、遊技球が第１遊技ステージ部７８の第１遊技球通過面８０に進入せず、第２遊技ステージ部８４の第２遊技球通過面８６に直接進入して移動する過程でも、導入口１０４に進入する可能性が少なからず存在する。このため、遊技者は、第２遊技ステージ部８４の第２遊技球通過面８６を通過する遊技球に対しても期待と関心を持って見守ることになる。
【００８８】
第２導球部１１０によって第２開口部１０６Ｂに導かれなかった遊技球は、第２遊技ステージ部８４の第２遊技球通過面８６をパチンコ機正面視にて左側から右側に移動し続ける。このとき、遊技球は、移動経路によって第２壁部９０と区画壁部８８とによって衝突を繰り返しながら移動する。そして、遊技球は、右側振分領域９６に進入する。この遊技球は、右側振分凹部９８によって第１遊技ステージ部７８の第１遊技球通過面８０又は第３遊技ステージ部１００の第３遊技球通過面１０２に振り分けられる。右側振分凹部９８によって第１遊技ステージ部７８の第１遊技球通過面８０に振り分けられた遊技球は、第１遊技ステージ部７８の第１遊技球通過面８０をパチンコ機右側から左側に移動して、再度、第１導球部１０８によって振り分けられ、所定の場合には第１開口部１０６Ａを経て導入口１０４に進入する。なお、第１開口部１０６Ａに振り分けられなかった遊技球は、第１遊技ステージ部７８の第１遊技球通過面８０をパチンコ機右側から左側に移動し続けて、左側振分領域９２に進入する。そして、左側振分凹部９４により遊技球が、第２遊技ステージ部８４の第２遊技球通過面８６又は第３遊技ステージ部１００の第３遊技球通過面１０２に振り分けられる。
【００８９】
第１遊技ステージ部７８の第１遊技球通過面８０又は第２遊技ステージ部８４の第２遊技球通過面８６を通過した遊技球が右側振分領域９６に進入し、右側振分凹部９８によって第３遊技ステージ部１００の第３遊技球通過面１０２に振り分けられた場合には、第３右側遊技球通過面１０２Ｃに進入する。そして、遊技球は、第３右側遊技球通過面１０２Ｃをパチンコ機右側から左側に向かって移動し、右側小振分凹部１１６Ｃに進入する。右側小振分凹部１１６Ｃに進入した遊技球は、右側小振分凹部１１６Ｃにより振り分けられて右側小振分凹部１１６Ｃから落下し、あるいは第３中央側遊技球通過面１０２Ａに進入する。右側小振分凹部１１６Ｃから落下した遊技球は、右側小振分凹部１１６Ｃが始動口６０Ａ（６０Ｂ）から右側に位置ずれしているため、始動口６０Ａ（６０Ｂ）に入球することはほとんどない。また、第３中央側遊技球通過面１０２Ａに進入した遊技球は、中央側小振分凹部１１６Ａにより振り分けられて、中央側小振分凹部１１６Ａから落下し、あるいは第３左側遊技球通過面１０２Ｂに進入する。中央側小振分凹部１１６Ａから落下した遊技球は、上述したように、始動口６０Ａ（６０Ｂ）に入球し易くなる。また、第３左側遊技球通過面１０２Ｂに進入した遊技球は、左側小振分凹部１１６Ｂにより振り分けられて左側小振分凹部１１６Ｂから落下する。左側小振分凹部１１６Ｂから落下した遊技球は、左側小振分凹部１１６Ｂが始動口６０Ａ（６０Ｂ）から左側に位置ずれしているため、始動口６０Ａ（６０Ｂ）に入球することはほとんどない。
【００９０】
以上のように、第１実施形態によれば、遊技球がセンター役物５４の内部に進入し第１遊技ステージ部７８の第１遊技球通過面８０を通過するときに、遊技球は第１導球部１０８により振り分けられ、導入口１０４の開口部１０６の一部を構成する第１開口部１０６Ａに導かれる。これにより、始動口６０Ａ（６０Ｂ）の真上に位置する排出口１１８から遊技球が排出され、始動口６０Ａ（６０Ｂ）に入球し易くなる。
【００９１】
ここで、遊技球が第１遊技ステージ部７８の第１遊技球通過面８０の移動中に導入口１０４に進入せず、第１遊技ステージ部７８の第１遊技球通過面８０の通過後、第２遊技ステージ部８４の第２遊技球通過面８６に進入した場合でも、遊技球が第２遊技ステージ部８４の第２遊技球通過面８６を通過するときに、第２導球部１１０により振り分けられ、導入口１０４の開口部１０６の一部を構成する第２開口部１０６Ｂに導かれる可能性が残る。これにより、遊技者は、遊技球が第１遊技ステージ部７８の第１遊技球通過面８０の通過後、第２遊技ステージ部８４の第２遊技球通過面８６に進入した場合でも、遊技球の行方が気になり、また期待することになる。このため、遊技球が第２遊技ステージ部８４の第２遊技球通過面８６の通過する過程においても、遊技興趣を高めることができる。
【００９２】
さらに、遊技球が第１開口部１０６Ａ及び第２開口部１０６Ｂから導入口１０４に導かれず、第３遊技ステージ部１００の第３遊技球通過面１０２に進入した場合でも、遊技球が中央側小振分凹部１１６Ａから落下すると、始動口６０Ａ（６０Ｂ）に入球する確率が高くなる。このため、遊技者は、遊技球が第１遊技ステージ部７８の第１遊技球通過面８０及び第２遊技ステージ部８４の第２遊技球通過面８６の移動の際に導入口１０４に進入せず、第３遊技ステージ部１００の第３遊技球通過面１０２に進入した場合でも、依然として遊技球の行方が気になり、期待を持って見守ることになる。このように、センター役物５４の内部には、３つの遊技ステージ部７８、８４、１００が設けられているが、どの遊技ステージ部に遊技球が進入しても、始動口６０Ａ（６０Ｂ）の真上から放出される可能性が存在する。このため、遊技球がたとえ第１遊技ステージ部７８の第１遊技球通過面８０を通過する際に導入口１０４に進入しない場合でも、遊技者は、第２遊技ステージ部８４の第２遊技球通過面８６又は第３遊技ステージ部１００の第３遊技球通過面１０２を通過する遊技球の行方に興味を抱き続けることになる。これにより、遊技球がセンター役物５４の内部に進入してからセンター役物５４の外部に排出されるまでの間、遊技者は、遊技球の移動軌跡に対して期待を持って見守ることになり、遊技興趣を一層高めることができる。
【００９３】
また、第１開口部１０６Ａは、第１遊技球通過面８０の手前側端部から第１遊技球通過面８０のステージ幅の幅方向中央部までの領域に及んでいる。また、第２開口部１０６Ｂは、第２遊技球通過面８６の奥側端部から第２遊技球通過面８６の幅方向中央部までの領域に及んでいる。このように、第１開口部１０６Ａと第２開口部１０６Ｂは、第１遊技球通過面８０又は第２遊技球通過面８６のステージ幅の約半分を占めるため、遊技球が第１開口部１０６Ａ又は第２開口部１０６Ｂに進入する確率と、第１開口部１０６Ａと第２開口部１０６Ｂに進入せず第１遊技球通過面８０又は第２遊技球通過面８６を通過する確率とが略等しくなる。この結果、遊技者は、遊技球が第１開口部１０６Ａ又は第２開口部１０６Ｂに進入するか否かをドキドキ・ハラハラしながら見守ることになり、遊技を一層面白くすることができる。
【００９４】
特に、第１開口部１０６Ａの周縁部には遊技球を第１開口部１０６Ａに導く第１導球部１０８が形成されており、第２開口部１０６Ｂの周縁部には遊技球を第２開口部１０６Ｂに導く第２導球部１１０が形成されているため、第１遊技ステージ部７８の第１遊技球通過面８０を通過する遊技球が第１開口部１０６Ａを経て導入口１０４に進入し易くなり、また、第２遊技ステージ部８４の第２遊技球通過面８６を通過する遊技球が第２開口部１０６Ｂを経て導入口１０４に進入し易くなる。これにより、遊技者は、第１遊技ステージ部７８の第１遊技球通過面８０及び第２遊技ステージ部８４の第２遊技球通過面８６を通過する遊技球に対して一層期待を抱くことになり、遊技興趣を高めることができる。
【００９５】
次に、本発明の第２実施形態に係る遊技機について、図面を参照して説明する。なお、第１実施形態に係る遊技機と重複する構成については、同符号を付し、その説明を適宜省略する。また、第２実施形態に係る遊技機は、第１実施形態に係る遊技機の遊技ステージの構造を一部変更したものであるので、相違点を中心に説明する。
【００９６】
図７及び図８に示すように、第３遊技ステージ部１００の第３中央側遊技球通過面１０２Ａの中央側小振分凹部１１６Ａの奥側には、遊技球が進入可能な特別導入口１２０が形成されている。この特別導入口１２０は、誘導路（図示省略）によって排出口１１８と連通されている。このため、特別導入口１２０に進入した遊技球は、必ず排出口１１８に導かれ、排出口１１８から排出される。
【００９７】
第２実施形態によれば、遊技球が第１遊技ステージ部７８の第１遊技球通過面８０又は第２遊技ステージ部８４の第２遊技球通過面８６を通過中に導入口１０４に進入せず、第３遊技ステージ部１００の第３遊技球通過面１０２に進入した場合でも、特別導入口１２０に進入する可能性が残る。すなわち、第１実施形態では、遊技球が第３遊技ステージ部１００の第３遊技球通過面１０２に進入した場合に中央側小振分凹部１１６Ａから落下することが始動口６０Ａ（６０Ｂ）に入球する上で必要な条件になっていたが、第２実施形態では、これに加えて、特別導入口１２０に進入することにより、排出口１１８に導かれる場合がある。遊技球が排出口１１８に導かれて排出口１１８から落下した場合には、中央側小振分凹部１１６Ａから落下する場合と比較して、始動口６０Ａ（６０Ｂ）に入球し易くなるため、遊技者は、第３遊技ステージ部１００の第３遊技球通過面１０２を移動する遊技球の行方に大きな期待を抱くことになる。この結果、第３遊技ステージ部１００の第３遊技球通過面１０２における遊技球の転動遊技に対して、遊技興趣を一層高めることができる。
【００９８】
次に、本発明の第３実施形態に係る遊技機について、図面を参照して説明する。なお、第１実施形態に係る遊技機と重複する構成については、同符号を付し、その説明を適宜省略する。また、第３実施形態に係る遊技機は、第２実施形態に係る遊技機の遊技ステージの構造を一部変更したものであるので、相違点を中心に説明する。
【００９９】
図９及び図１０に示すように、第２遊技ステージ部８４の第２遊技球通過面８６は、第１遊技ステージ部７８の第１遊技球通過面８０よりも下方に形成されている。すなわち、第１実施形態では、第１遊技ステージ部７８の第１遊技球通過面８０と第２遊技ステージ部８４の第２遊技球通過面８６とは、同じ高さで相互に同一平面上に形成されている構成であるが、第３実施形態では、第１遊技ステージ部７８の第１遊技球通過面８０と第２遊技ステージ部８４の第２遊技球通過面８６との間であって区画壁部８８の下部には、段部１２４が形成されている。このため、第３実施形態は、第１遊技ステージ部７８の第１遊技球通過面８０が一番高く、次に、第２遊技ステージ部８４の第２遊技球通過面８６が高く、そして、第３遊技ステージ部１００の第３遊技球通過面１０２が一番低いという、３段ステージが高さ方向に並んだ構成になっている。このため、第１開口部１０６Ａと第２開口部１０６Ｂとが高さ方向にずれて形成されている。なお、第１開口部１０６Ａと第２開口部１０６Ｂは、平面視にて導入口１０４の単一の開口部１０６を形成されている。
【０１００】
また、上述のように、第１遊技ステージ部７８の第１遊技球通過面８０と第２遊技ステージ部８４の第２遊技球通過面８６の高さが異なると、左側振分領域９２及び右側振分領域９６は、パチンコ機奥側から手前側に向かう下り傾斜の傾斜角度も大きくなる。このため、左側振分凹部９４及び右側振分凹部９８において、第３遊技ステージ部１００の第３遊技球通過面１０２に振り分けられる確率が高くなる。
【０１０１】
第３実施形態によれば、遊技球が第１遊技ステージ部７８の第１遊技球通過面８０を移動するときに第１開口部１０６Ａに進入した場合には、遊技球は、第２開口部１０６Ｂまで自由落下して導入口１０４に進入することになる。このように、遊技球が第１開口部１０６Ａに進入した場合には、遊技者は、遊技球の自由落下を視認することができる。この結果、遊技者は、遊技球が導入口１０４に進入することを明確に認識することができるため、遊技興趣を一層高めることができる。
【０１０２】
また、左側振分凹部９４及び右側振分凹部９８において、第３遊技ステージ部１００の第３遊技球通過面１０２に振り分けられる確率が高くなるが、その分だけ、遊技球が第３遊技ステージ部１００の第３遊技球通過面１０２の特別導入口１２０に進入し易くなる。これにより、第３遊技ステージ部１００の第３遊技球通過面１０２における遊技球の転動遊技の遊技興趣を一層高めることができる。
【０１０３】
次に、本発明の第４実施形態に係る遊技機について、図面を参照して説明する。なお、第１実施形態に係る遊技機と重複する構成については、同符号を付し、その説明を適宜省略する。また、第４実施形態に係る遊技機は、第３実施形態に係る遊技機の遊技ステージの構造を一部変更したものであるので、相違点を中心に説明する。
【０１０４】
図１１及び図１２に示すように、導入口１０４の開口部１０６の一部である第１開口部１０６Ａの開口面積と、導入口１０４の開口部１０６の一部である第２開口部１０６Ｂの開口面積と、特別導入口１２０の開口部１０６の面積との関係を、第１開口部１０６Ａの開口面積を基準として、第２開口部１０６Ｂの開口面積を第１開口部１０６Ａの開口面積よりも大きくし、特別導入口１２０の開口部１２２の開口面積を第２開口部１０６Ｂの開口面積よりも大きく設定したものである。換言すれば、重力方向下流側に位置するにつれて、開口部の面積が大きくなり、開口面積の大小関係として、第１開口部１０６Ａ＜第２開口部１０６Ｂ＜特別導入口１２０が成立している。
【０１０５】
第４実施形態によれば、遊技球が第１遊技ステージ部７８の第１遊技球通過面８０、第２遊技ステージ部８４の第２遊技球通過面８６、第３遊技ステージ部１００の第３遊技球通過面１０２と移動するにしたがって、各遊技球通過面８０、８６、１０２に形成されている開口部１０６Ａ、１０６Ｂ、１２２の開口面積が次第に大きくなるように構成されているため、遊技球が第１遊技ステージ部７８の第１遊技球通過面８０、第２遊技ステージ部８４の第２遊技球通過面８６、第３遊技ステージ部１００の第３遊技球通過面１０２と移動するにしたがって開口部１０６Ａ、１０６Ｂ、１２２に進入し易くなる。このため、遊技球が第１遊技ステージ部７８の第１遊技球通過面８０を通過し、さらに、第２遊技ステージ部８４の第２遊技球通過面８６を通過して、第３遊技ステージ部１００の第３遊技球通過面１０２に進入した場合でも、遊技者は、遊技球の行方に大きな期待を抱くことになる。この結果、遊技者は、遊技球がセンター役物５４内部の全ての遊技ステージ部７８、８４、１００の遊技球通過面８０、８６、１０２を移動していく過程に注目することになり、センター役物５４の内部における遊技興趣を一層高めることができる。
【図面の簡単な説明】
【０１０６】
【図１】本発明の第１実施形態に係る遊技機の正面図である。
【図２】本発明の第１実施形態に係る遊技機の遊技盤の正面図である。
【図３】本発明の第１実施形態に係る遊技機のセンター役物に設けられるステージ部材の斜視図である。
【図４】本発明の第１実施形態に係る遊技機の電子制御装置の主要部の構成を示すブロック図である。
【図５】本発明の第１実施形態に係る遊技機の電子制御装置を構成するサブ制御基板を説明するための説明図である。
【図６】本発明の第１実施形態に係る遊技機のセンター役物に設けられるステージ部材を移動する遊技球の移動軌跡の一例を示した斜視図である。
【図７】本発明の第２実施形態に係る遊技機のセンター役物に設けられるステージ部材の斜視図である。
【図８】本発明の第２実施形態に係る遊技機のセンター役物に設けられるステージ部材を移動する遊技球の移動軌跡の一例を示した斜視図である。
【図９】本発明の第３実施形態に係る遊技機のセンター役物に設けられるステージ部材の斜視図である。
【図１０】本発明の第３実施形態に係る遊技機のセンター役物に設けられるステージ部材を移動する遊技球の移動軌跡の一例を示した斜視図である。
【図１１】本発明の第４実施形態に係る遊技機のセンター役物に設けられるステージ部材の斜視図である。
【図１２】本発明の第４実施形態に係る遊技機のセンター役物に設けられるステージ部材を移動する遊技球の移動軌跡の一例を示した斜視図である。
【符号の説明】
【０１０７】
１０      パチンコ機（遊技機）
２６      遊技盤
２８      遊技領域
５４      センター役物
５８      遊技ステージ（ステージ部材）
６０Ａ    始動口（入賞口）
６０Ｂ    始動口（入賞口）
７６      遊技球進入口（（受入口）
７８      第１遊技ステージ部（第１ステージ部）
８４      第２遊技ステージ部（第２ステージ部）
８８      区画壁部（仕切り部材）
１０４    導入口
１０６    開口部
１０６Ａ  第１開口部
１０６Ｂ  第２開口部
１０８    第１導球部（振分部、第１振分部）
１１０    第２導球部（振分部、第２振分部）
１１８    排出口
【図１】
0005088491.tif 000002
【図２】
0005088491.tif 000003
【図３】
0005088491.tif 000004
【図４】
0005088491.tif 000005
【図５】
0005088491.tif 000006
【図６】
0005088491.tif 000007
【図７】
0005088491.tif 000008
【図８】
0005088491.tif 000009
【図９】
0005088491.tif 000010
【図１０】
0005088491.tif 000011
【図１１】
0005088491.tif 000012
【図１２】
0005088491.tif 000013